(57)【要約】      （修正有）【課題】構造が簡単でありコストが低く、環境保護にも役立つ紙製包装緩衝装置を提供する。【解決手段】第一支持体１と、第二支持体２とによって構成する。第一支持体１は、紙材からなるとともに、第一底板と、第一底板の両側に連結される第一側板とを備え、第一支持体の端面は門型を形成し、第一底板には複数の溝孔１３を設ける。又、第二支持体２は、紙材からなるとともに、第二底板と、第二底板の両側に連結される第二側板とを備え、一方の第二側板は挿板２２３を形成し、他方の第二側板は割口２２１を形成し、挿板は第一支持体の溝孔１３に差し込まれ、第一支持体の第一底板と第一側板は割口に収容される。【選択図】図２
0003163319.tif 000002
【実用新案登録請求の範囲】
【請求項１】
第一支持体と、第二支持体とによって構成する紙製包装緩衝装置において、
第一支持体は、紙材からなるとともに、第一底板と、第一底板の両側に連結される第一側板とを備え、第一支持体の端面は門型を形成し、第一底板には複数の溝孔が設けられ、
第二支持体は、紙材からなるとともに、第二底板と、第二底板の両側に連結される第二側板とを備え、一方の第二側板は挿板を形成し、他方の第二側板は割口を形成し、挿板は第一支持体の溝孔に差し込まれ、第一支持体の第一底板と第一側板は割口に収容されることを特徴とする、紙製包装緩衝装置。
【請求項２】
前記挿板の幅と前記割口の幅は同じであることを特徴とする、請求項１に記載の紙製包装緩衝装置。
【請求項３】
前記挿板の両側は、それぞれ差込溝を形成し、差込溝の深さと前記割口の深さは、前記第一支持体の側板の高さと同じであることを特徴とする、請求項１に記載の紙製包装緩衝装置。
【考案の詳細な説明】
【技術分野】
【０００１】
本考案は、パッキングケース内に入れて物品を保護する装置に関する。
【背景技術】
【０００２】
従来の紙製の緩衝構造では、まずプレスモールドによって複数の折れ線をもつ平板を成形し、さらに折り曲げて緩衝効果をもつ立体構造を成形させる。しかし、その構造はかなり複雑であり、折り曲げて立体構造を成形させるのに非常に手間とコストがかかる。また、その大部分がバージンパルプを採用しているため、大量の樹木を伐採する必要がある。このため、地球の温暖化を加速させ、植被を減少させ、土壌浸食を引き起こす危険性がある。
【考案の概要】
【考案が解決しようとする課題】
【０００３】
そこで、本考案は、構造が簡単でありコストが低く、環境保護にも役立つ紙製包装緩衝装置を提供することを目的とする。
【課題を解決するための手段】
【０００４】
本考案による紙製包装緩衝装置は、第一支持体と、第二支持体とによって構成する。第一支持体は、紙材からなるとともに、第一底板と、第一底板の両側に連結される第一側板とを備え、第一支持体の端面は門型を形成し、第一底板には複数の溝孔が設けられ、第二支持体は、紙材からなるとともに、第二底板と、第二底板の両側に連結される第二側板とを備え、一方の第二側板は挿板を形成し、他方の第二側板は割口を形成し、挿板は第一支持体の溝孔に差し込まれ、第一支持体の第一底板と第一側板は割口に収容される。
【考案の効果】
【０００５】
本考案による紙製包装緩衝装置は、構造が簡単であり、折り曲げて組み合わせるだけで立体の緩衝装置を形成させることができるため、コストを低く抑えることができる。また、再生紙の紙材を使用して製造されているため、森林を伐採する必要がなく、地球の温暖化のリスクを下げ、植被を保護し土壌浸食を引き起こすことがない。
【図面の簡単な説明】
【０００６】
【図１】本考案の第一支持体と第二支持体を展開して平面にした形態を示した斜視図である。
【図２】本考案の第一支持体と第二支持体を折り曲げた後の形態を示した斜視図である。
【図３】本考案の第一支持体と第二支持体を組み合わせて形成させた緩衝装置を示した斜視図である。
【図４】本考案の複数の緩衝装置を並べて使用した実施例を示した斜視図である。である。
【図５】本考案の第一支持体を長くして複数の溝孔を設け、その第一支持体に複数の第二支持体を組み合わせた実施例を示した斜視図である。
【図６】図５の第一支持体と複数の第二支持体を組み合わせて形成させた緩衝装置を示した斜視図である。
【考案を実施するための形態】
【０００７】
図１に示すように、本考案による紙製包装緩衝装置は、廃棄された紙を利用して再生パルプを生成し、連続モールドによってパルプから一定の厚さをもつ展開された平面の紙板を生成し、さらに平面の紙板をプレス成形し、第一支持体１と第二支持体２を成形させる。第一支持体１は、第一底板１１と、第一折れ線１０によって第一底板１１の両側に連結された第一側板１２とを備え、第一底板１１には複数の溝孔１３が設けられる。そして、折り曲げる時は、第一折れ線１０に沿って第一側板１２を第一底板１１に対して折り曲げ、図２に示すような端面が門型を呈する第一支持体１を成形させる。第二支持体２は、第二底板２１と、第二折れ線２０によって第二底板２１の両側に連結された第二側板２２とを供え、一方の第二側板２２は挿板２２３を形成し、挿板２２３の両側と第二側板２２との間は差込溝２２２を形成する。他方の第二側板２２は割口２２１を形成する。そして、第二折れ線２０に沿って、第二側板２２を第二底板２１に対して折り曲げ、図２に示すような端面が門型を呈する第二支持体２を形成させる。本考案の第二支持体２の挿板２２３の幅と割口２２１の幅は同じであり、挿板２２３の幅と第一支持体１の溝孔１３の長さは同じであり、割口２２１の幅は第一支持体１の第一底板１１の幅と同じである。挿板２２３の両側は、それぞれ差込溝２２２を形成し、差込溝２２２の深さ及び割口２２１の深さは、第一支持体１の側板１２の高さと同じである。
【０００８】
本考案の第一支持体１と第二支持体２の組合せ方法は、図２に示す通りであり、第一支持体１と第二支持体２の門型開口は、いずれも同一方向を向けさせ、さらに第二支持体２の挿板２２３を第一支持体１の溝孔１３に差込み、それと同時に、第一支持体１を第二支持体２の割口２２１内に嵌めこむと、第一底板１１の底面は第二支持体２の割口２２１によって支えられ、緩衝装置になる（図３に図示）。本考案は、図４に示すように、パッキングケースのサイズに応じて複数の緩衝部材を並べてパッキングケース（図示せず）内部の底面に置くこともでき、それにより、パッキングケース内に置いた物品の緩衝保護作用を実現する。
【０００９】
図５と図６は、本考案の緩衝装置を示している。図に示すように、大型のパッキングケースのサイズに合わせて、長めの第一支持体１を採用し、第一支持体１の第一底板上に複数の溝孔１３を設けることができる。第二支持体２を、前述した実施例と同じ方法で第一支持体１に組合せると、緩衝装置が形成される。
【符号の説明】
【００１０】
１      第一支持体
１０    第一折れ線
１１    第一底板
１２    第一側板
１３    溝孔
２      第二支持体
２０    第二折れ線
２１    第二底板
２２    第二側板
２２１  割口
２２２  差込溝
２２３  挿板
【図１】
0003163319.tif 000003
【図２】
0003163319.tif 000004
【図３】
0003163319.tif 000005
【図４】
0003163319.tif 000006
【図５】
0003163319.tif 000007
【図６】
0003163319.tif 000008